(57)【特許請求の範囲】
【請求項１】
原稿を載置する給紙トレイと、
前記給紙トレイ上の原稿を繰り出す給紙手段と、
前記給紙手段からの原稿を画像読取装置のプラテン上に給送セットする搬送手段と、
前記プラテンから搬出された原稿を収容する排紙トレイと、
前記排紙トレイの下方に配置され、前記プラテンから搬出された原稿の搬送方向を反転するスイッチバック経路を備えた原稿搬送装置において、
前記排紙トレイは、前記スイッチバック経路に搬入される原稿の上流側上方に位置する第１のトレイ部材と下流側上方に位置する第２のトレイ部材とで前記スイッチバック経路を覆うように構成し、
前記第１のトレイ部材は、その下流側端部を前記第２のトレイ部材の上流側端部に回動可能に連結し、
前記第２のトレイ部材は、その下流側端部を装置フレームに回動可能に支持され、
前記第１のトレイ部材は、前記第２のトレイ部材の上流側端部を中心に回動自在であり、且つ前記第２のトレイ部材の下流側端部を中心に該第２のトレイ部材と共に回動自在であることを特徴とする原稿搬送装置。
【請求項２】
前記第１のトレイ部材と前記第２のトレイ部材とは夫々、回動可能に軸連結されていることを特徴とする請求項１に記載の原稿搬送装置。
【請求項３】
前記第１のトレイ部材の前記第２のトレイ部材に対する最大回動角度を、前記第２のトレイ部材の前記装置フレームに対する最大回動角度より大きく設定したことを特徴とする請求項１又は２に記載の原稿搬送装置。
【請求項４】
前記第１のトレイ部材及び前記第２のトレイ部材は、その回動を規制するロック手段を備えていることを特徴とする請求項１乃至３に記載の原稿搬送装置。
【請求項５】
前記第１のトレイ部材は、前記第２のトレイ部材の上流側端部を中心とする回動と、前記第２のトレイ部材の下流側端部を中心とする回動を規制するロック手段を備えていることを特徴とする請求項１乃至４に記載の原稿搬送装置。
【発明の詳細な説明】
【０００１】
【発明の属する技術分野】
本発明は、複写機、ファクシミリ、プリンタ、スキャナ等の画像形成装置と共に使用される画像読取装置のための原稿搬送装置に関し、給紙トレイ上の一連の原稿を連続的に繰り出して、画像読み取り後の原稿のページ順揃えして積み重ねるようにした原稿搬送装置に関する。
【０００２】
【従来の技術】
給紙トレイ上に載置された一セットの複数枚からなる原稿を順次読み取りこれを排紙トレイに排紙した場合に排紙トレイ上に集積された原稿のページ順を元のとおりにページ揃えしたり、又は両面に画像が記載された原稿の両面を読み取った後に原稿のページ順を元のとおりにページ揃えするために、装置内にスイッチバック経路を設けそこで原稿の表裏を反転させることは従来から行われてきた。
【０００３】
このようなスイッチバック経路を有する原稿搬送装置の例が、特開平９−２９２７４２号公報又は特開平５−３０７２４号公報に開示されている。
【０００４】
特開平９−２９２７４２号公報に開示された自動原稿搬送装置においては、給紙トレイに載置された原稿の上から順に繰出し、プラテンガラスに搬送ベルトによって原稿を搬送セットして画像の読み取りを行わせる。その後、原稿のページ順揃えを行わせるためにスイッチバック経路を介して反転搬送するように構成されている。そして、このスイッチバック経路は、搬送ベルトと排紙トレイとの間に形成されている。
【０００５】
また、特開平５−３０７２４号公報に開示されている原稿搬送装置は、上記特開平９−２９２７４２号公報に開示された自動原稿搬送装置とは、給紙トレイと排紙トレイとの上下の位置関係を逆にして、給紙トレイの下方に原稿のスイッチバック経路を配置する構成としている。
【０００６】
【発明が解決しようとする課題】
しかし、シートの表裏を反転させるためのスイッチバックは、狭い経路内で原稿を大きく屈曲させたり原稿の前後移動を伴うために、原稿ジャム等が生じやすい。ところが、上記の従来技術に係る原稿搬送装置においては、搬送ベルトと排紙トレイとの間のスイッチバック経路において、ジャム等が発生した場合の回復処理については何ら考慮されていない。
【０００７】
このようなジャムが発生した処理対策としては、スイッチバック搬送部のガイド部の一端を支軸にして開放することが考えられるが、上方に給紙トレイなどが配置されているために開放角度が十分取れない。
【０００８】
一方、この種の原稿搬送装置では、通常Ａ３サイズ乃至Ｂ５サイズの原稿まで取り扱い可能となっているが、比較的多用される原稿はＡ４サイズ原稿であり、このためスイッチバック経路を開放可能にする場合は、スイッチバック経路の原稿搬入側が開放可能に構成されていればほとんどの場合に対処可能であり、スイッチバック経路の全面を開放しなければならない事態は頻繁には生じないが、スイッチバック経路を全面的に開放をせざるを得ないようなジャムにも対処しなければならないことは言うまでもない。
【０００９】
本発明は、上記課題に鑑みてなされたものであって、比較的にジャム等が発生しやすいスイッチバック経路の原稿搬入口側についてはジャム等の処理が極めて容易であって、原稿搬入口よりも奥側にジャムが生じたときも一般操作者が容易にジャム処理を行うことが可能なように構成された原稿搬送装置を提供することを目的とする。
【００１０】
【課題を解決するための手段】
このため、本発明は、原稿を載置する給紙トレイと、前記給紙トレイ上の原稿を繰り出す給紙手段と、前記給紙手段からの原稿を画像読取装置のプラテン上に給送セットする搬送手段と、前記プラテンから搬出された原稿を収容する排紙トレイと、前記排紙トレイの下方に配置され、前記プラテンから搬出された原稿の搬送方向を反転するスイッチバック経路を備えた原稿搬送装置において、前記排紙トレイは、前記スイッチバック経路に搬入される原稿の上流側上方に位置する第１のトレイ部材と下流側上方に位置する第２のトレイ部材とで前記スイッチバック経路を覆うように構成し、前記第１のトレイ部材は、その下流側端部を前記第２のトレイ部材の上流側端部に回動可能に連結し、前記第２のトレイ部材は、その下流側端部を装置フレームに回動可能に支持する。前記第１のトレイ部材は、前記第２のトレイ部材の上流側端部を中心に回動自在であり、且つ前記第２のトレイ部材の下流側端部を中心に該第２のトレイ部材と共に回動自在とする。
【００１１】
ここで、前記第１のトレイ部材と第２のトレイ部材は夫々、回動可能に軸連結されており、前記第１のトレイ部材の前記第２のトレイ部材に対する最大回動角度を、前記第２のトレイ部材の前記装置フレームに対する最大回動角度よりも大きくなるように構成される。
【００１２】
これによって、スイッチバック経路の原稿搬入口側についてはジャム処理を容易とし、且つ、原稿搬入口よりも奥側にジャムが生じたときもジャム処理可能にしている。
【００１３】
さらに、本装置においては、前記第１のトレイ部材及び前記第２のトレイ部材は、その回動を規制するロック手段を備え、前記第１のトレイ部材は、前記第２のトレイ部材の上流側端部を中心とする回動と、前記第２のトレイ部材の下流側端部を中心とする回動を規制するロック手段を備える。
【００１５】
【発明の実施の形態】
以下、本発明の原稿搬送装置に係る実施の形態の例を、図の記載に基づいて詳しく説明する。
【００１６】
本発明に係る原稿搬送装置１は、画像形成装置８の上面部に設けられたプラテンに対して開閉可能に読取装置本体にヒンジ等（図示せず）を介して取り付けられる。
【００１７】
図１は、本発明に係る原稿搬送装置１を斜め上方から見た斜視図を示す。図２は、本原稿搬送装置を正面から見た断面図を示す。本発明に係る原稿搬送ユニットにおいては、前記給紙手段、前記搬送手段、前記排紙手段のそれぞれがユニット構成されている。
【００１８】
図１及び２に示すように、原稿搬送装置１は、支持フレーム２と、給紙トレイ１０と、支持フレーム２の一方の端側に、給紙トレイ１０上に載置された原稿を繰り出すための給紙ユニット３と、給紙ユニット３から繰り出された原稿を受け取りこれを下方の画像読取装置（図示せず）のプラテン上の所定の位置に搬送して載置するための搬送ユニット５、支持フレーム２の他方の端側に画像読取り後の原稿を排紙する排紙ユニット４と、排紙された原稿を載置する排紙トレイ１１とが形成されている。排紙トレイの下には読み取った原稿面を反転させるためのスイッチバック経路２５が設けられている。そして、本装置を保護するフロントカバー６とリヤーカバー７が設けられている。給紙ユニット３、搬送ユニット５及び排紙ユニット４は、支持フレーム２におけるそれぞれの所定の取付部に取り付けられる。
【００１９】
給紙ユニット３、排紙ユニット４、搬送ユニット５には、それぞれのローラを駆動するために正転及び逆転可能な給紙モータ（図示せず）、排紙モータ（図示せず）、搬送モータ（図示せず）が取り付けられている。
【００２０】
図２において、原稿は、給紙トレイ１０上に上向きに載置される。上向きに載置された原稿は給紙ユニット３により繰り出されて、凡そ１８０度回転した状態でその原稿面を下向きにした状態で搬送手段５の搬送ベルト１８下の所定の読取位置に停止する。そこで読み取られた原稿は、今度は、排紙ユニット４によって排紙トレイ１１上に排紙されることとなる。
【００２１】
ところが、給紙トレイ１１上に載置された原稿が複数枚からなるセット原稿であった場合、原稿は上位のものから連続的に繰り出されて読み取られるために、上記の排紙方法であると、排紙トレイ１１に最終的に積み重ねられる原稿のページ順が逆になってしまう。これを防ぐために、読み取られた原稿は、排紙ユニットがそのまま排紙トレイ１１上に排紙せずに、一旦排紙トレイ１１の裏面（内側）に設けられたスイッチバック経路２５に搬入し、原稿の後端側から排紙トレイ１１に排紙することにより、セット原稿のページ順を維持するようにしている。
【００２２】
尚、本発明に係る原稿搬送装置における原稿の給紙、搬送、スイッチバック及び排紙については、両面原稿読み取りの例を含めて後述する。
【００２３】
ところで、スイッチバック経路２５への原稿搬入は、その搬入口手前での排紙手段による原稿の屈曲と、スイッチバック経路内における原稿の前進移動とその後の後退移動を伴うために原稿のジャム（紙詰まり）が生じやすい。そのために、一般操作者でも容易にジャムした原稿を取り出すことができるように、スイッチバック経路は開放可能に構成されなければならない。
【００２４】
図２は、本発明に係る原稿搬送装置の第１の実施の形態を示す。
本形態においては、給紙トレイ１０が装置の上方に配置され、左側に配置された給紙部３が、給紙トレイ１０上に載置された原稿を上のほうから順番に搬送部５側へ給紙する。そして、排紙トレイ１１は、給紙トレイ１０の下方に配置されている。上記のように、画像読み取り後の原稿は、必要に応じてスイッチバック反転されなければならない。このためのスイッチバック経路２５が排紙トレイの内側に配置されている。
【００２５】
ここで、排紙トレイ１１は、大きく二つの部分に分かれて構成されている。その第１の部分は、スイッチバック経路の原稿入口側を開放する第１のトレイ部材（以下第１開放部と云う）１１Ａであって、その第２の部分は、第１開放部（第１のトレイ部材）１１Ａと隣接する第２のトレイ部材（以下第２開放部と云う）１１Ｂである。このように排紙トレイ１１は、第１開放部（第１のトレイ部材）１１Ａと第２開放部（第２のトレイ部材）１１Ｂによって開放可能に構成されている。これによって、スイッチバック経路２５の開放が可能となり、ジャムした原稿が取り出せることとなる。
【００２６】
図３は、第１開放部１１Ａのみが開放された状態を示す。ここで、第１開放部１１Ａは、装置フレーム（図示せず）に対して支軸１２を中心に回動可能になっている。また、第２開放部１１Ｂは、支軸１３を中心に回動可能になっている。従って、前記第１開放部１１Ａは、その下流側端部を前記第２開放部１１Ｂの上流側端部に回動可能に連結し、前記第２開放部１１Ｂは、その下流側端部を装置フレームに回動可能に支持される。さらに、前記第１開放部１１Ａは、前記第２開放部１１Ｂの上流側端部を中心に回動自在であり、且つ前記第２開放部１１Ｂの下流側端部を中心に該第２開放部１１Ｂと共に回動自在となる。
【００２７】
図３に示すように、この実施例では、第１開放部１１Ａの回動可能な角度は、凡そ４５度である。ジャムした原稿を取り出すには充分な角度である。それ以上開放しようとするとすれば、上方の給紙トレイ１０に当たってしまう角度である。そして、第２の開放部の回動可能な角度は凡そ２５度である。通常、ジャムは、第１開放部１１Ａ側で生じることと、第１開放部１１Ａが大きく回動開放可能であることから２５度程度で良い。これによって、スイッチバック経路の原稿搬入口側についてはジャム処理を容易とし、且つ、原稿搬入口よりも奥側にジャムが生じたときもジャム処理可能にしている。
【００２８】
第１開放部の開放自由部には、シール上のマグネットが貼り付けられている。これに対応する装置フレーム部分には鉄片２７が設けられている。コのマグネット部２６及び鉄片部２７は磁気吸着することになる。これが第１及び第２開放部の開放ロック手段１４を構成している。この開放ロック手段１４によって、例えば、原稿搬送装置１をプラテンに対して開閉した場合にも第１及び第２開放部が不用意に開放してしまうなどの不具合を防止している。従ってオペレーターによって開放動作した時のみ第１及び第２開放部が開放されることになる。
【００２９】
さらに、第２開放部１１Ｂの一方の端は、装置フレームに支軸１３において軸回動可能に連結され、第２開放部１１Ｂの他方の端が前記第１開放部１１Ａとヒンジ１５を介して連結するようにしている。これによって、操作者は、第１開放部１１Ａを引き上げることにより、同時に第２開放部１１Ｂを同時に引き上げることを可能とし、第２開放部１１Ｂ下方に至る大きなサイズの原稿を容易に引き出すことを可能としている。尚、支軸１２とヒンジ１５は、二つの開放部１１Ａ，１１Ｂの両側端部（原稿搬送方向に直行する方向の側端）に取り付けられているので、スイッチバック経路２５内における原稿の進入を妨げる位置にはない。
【００３０】
図３は、第１開放部１１Ａの引き上げによって第２開放部１１Ｂも同時に引き上げられてスイッチバック経路２５の全体が開放された状態を示す。
【００３１】
図４に、上記した第１の実施の形態の変形例を示す。この変形例では、第１開放部１１Ａは支軸１２を中心に回動可能になっており、第２開放部１１Ｂは支軸１３を中心に回動可能になっており、二つの開放部は相互に連結されていない。このような構成であっても、ジャムした原稿の取り出し容易性に問題が生じない場合も多い。
【００３２】
図６は、本発明の第２の形態の例を示す。この例では、排紙部４からの原稿を集積する排紙トレイ１１が、左側の給紙部３に原稿を供給するための給紙トレイ１０の上方に配置されている。スイッチバック経路２５は、給紙トレイ１０の裏面（内側）に形成されている。
【００３３】
このため、この例におけるスイッチバック経路２５は、給紙トレイ１０を回動可能に開放されることとなる。このため、給紙トレイ１０は、スイッチバック経路２５における原稿入口側を開放する第１開放部１０Ａとこれに隣接する第２開放部１０Ｂによって構成される。
【００３４】
前記第１開放部１０Ａは、スイッチバック経路の原稿入口側端において支軸１６を中心に回動可能に軸支される。また、前記第２開放部は、前記スイッチバック経路の原稿入口側と逆側の端における支軸１７において軸支され、軸回動可能に構成される。これによって、給紙トレイ１０の内側に形成されたスイッチバック経路２５は、開放可能となり、ここでジャムした原稿の取り出しを容易にしている。
【００３５】
次に、上記に述べた原稿搬送装置の動作概要を説明する。
先ず、本画像搬送装置による原稿の片面読取モード図７〜図１０に基いて説明する。
【００３６】
給紙トレイ１０に原稿１００をセットされ（図７（ａ））、エンプティセンサＳ５が原稿１００を検出すると、給紙モータＭ１が正転させる。これにより、繰り出しローラ４３と給紙ローラ４５が駆動し、原稿１００は繰り出しローラ４３にて繰り出され、給紙ローラ４５と分離部材４４によって１枚に分離されて給紙される。給紙された原稿１００はレジストセンサＳ１にて先端が検出された後に給紙モータＭ１を所定量駆動することによってジストローラ４７のニップ部に突き当てて原稿１００のスキューを除去されて停止する（図７（ｂ）。その後、給紙モータＭ２を逆転させてレジストローラ４７を回転させて原稿をコンタクトガラス３１に向けて給紙するとともに搬送モータＭ３を正回転させて搬送ベルト１８を回転させてレジストローラ４７から送られた原稿１００をプラテン３１に沿って搬送させる（図７（ｃ））。そして、１枚目の原稿１００の後端をタイミングセンサＳ２が検出した後に、所定量搬送して給紙モータＭ１、搬送モータＭ３を停止させてレジストローラ４７及び搬送ベルト１８する。これにより、原稿１００はプラテン３１上の所定の位置に位置付けられて、本体の読取手段によって原稿１００が読み取られることとなる（図８（ｄ））。
【００３７】
ここで、１枚目の原稿１００を読み取っている間に給紙トレイ１０に２枚目の原稿１０１がセットされていれば、、すなわちエンプティセンサＳ５が２枚目の原稿１０１を検出していると、給紙モータＭ１が正転させて繰り出しローラ４３と給紙ローラ４５を駆動して、１枚目の原稿１００と同様に２枚目の原稿１０１を繰り出し、１枚に分離してレジストローラ４７のニップ部に突き当てて停止させて待機させる（図８（ｅ））。
【００３８】
１枚目の読取が終了すると搬送モータＭ３を再度正転駆動し、同時に排紙モータＭ２も正転させる。これにより、搬送ベルト１８は正回転駆動し、反転ローラ５５も正回転駆動され、１枚目の原稿１００がプラテン３１上から搬出される（図８（ｆ））。
【００３９】
ここで、１枚目の原稿の先端が反転センサＳ４で検出されると給紙モータＭ１を逆転してレジストローラ４７を駆動し、レジストローラ４７のニップ点に突き当たり待機された２枚目の原稿１０１をプラテン３１に向けて送るように制御され、１枚目と同様にプラテン３１上の所定位置に搬送されて停止される。
【００４０】
一方、プラテン３１上から搬出された１枚目の原稿１００は排紙フラッパ５４、及び反転フラッパ５７によってスイッチバック経路２５に導かれ（図９（ｇ））、原稿１００の後端が排紙センサＳ４に検出されてから所定量搬送して排紙モータＭ３を停止して反転ローラ５５を一旦停止する。このとき、原稿１００の後端は自重フラッパ６０を過ぎた位置で反転ローラ５５とピンチローラ５６ｂにニップされて停止した状態となる（図９（ｈ））。その後、反転ローラ５５とピンチローラ５６ｂにニップされて停止された原稿１００は排紙モータＭ２を逆転させることにより、原稿１００をスイッチバックさせて排紙ローラ対５３ａ、５３ｂによって排紙トレイ１１に排紙する（図９（ｉ））。
【００４１】
以降、２枚目の原稿１０１についても１枚目の原稿１００と同様な排紙動作が実行され、また３枚目、４枚目の原稿が給紙トレイ１０にある場合は、同様な給紙、搬送、排紙動作が実行される（図１０（ｊ））。
【００４２】
なお、自重フラッパ６０は下方に自重によって垂下されており、通過する原稿の先端によって上方に回動するように構成されている。また、排紙ローラ５３ｂは排紙モータＭ２の正転、逆転に関係なく一方向に回転するように駆動系が構成されている。
【００４３】
次に、本原稿搬送装置における原稿の両面読取モードの動作について図１１〜図１３に基いて説明する。
１枚目の原稿１００の給紙から表面読取までは片面読取モードと同様な給紙、搬送動作を実行する（図７（ａ）〜図８（ｅ））。
【００４４】
そして、図１１（ａ）の状態で表面が読み取られた１枚目の原稿１００は搬送モータＭ３を再度正転駆動し、同時に排紙モータＭ２も正転させることにより、搬送ベルト１８、反転ローラ５５でプラテン３１上から搬出される（図１１（ｂ））。
【００４５】
プラテン３１上から排出された原稿１００は反転センサＳ４で先端を検出された後に所定量搬送することによって排紙フラッパ５４、自重フラッパ６０を通過して反転ローラ５５とピンチローラ５６ｂに原稿１００の先端がニップした位置で搬送モータＭ３及び排紙モータＭ２を一旦停止し、原稿１００を停止させる（図１１（ｃ））。そして、反転フラッパ５７を再びプラテン３１に案内する方向に切り換えると同時に搬送モータＭ３を逆転し、排紙モータＭ２を再度正転させる。これにより、原稿１００は表裏を反転して再びプラテン３１に給紙され、プラテン３１の所定の位置に搬送される（図１２（ｄ））。
【００４６】
プラテン３１上の所定の位置に搬送されて停止された原稿１００は、その裏面が読取手段によって読み取られ、読み取りが終了すると搬送モータＭ３を正転駆動し、同時に排紙モータＭ２も正転する。これにより、搬送ベルト１８は正回転駆動し、反転ローラ５５も正回転駆動され、１枚目の原稿１００がプラテン３１上から再び搬出される（図１２（ｅ））。
【００４７】
ここで、１枚目の原稿の先端が反転センサＳ４で検出されると給紙モータＭ１を逆転してレジストローラ４７を駆動し、レジストローラ４７のニップ点に突き当たり待機していた２枚目の原稿１０１をプラテン３１に向けて送るように制御され、１枚目と同様にプラテン３１上の所定位置に搬送されて停止される。
【００４８】
一方、プラテン３１上から搬出された１枚目の原稿１００の先端を反転センサＳ４が検出すると排紙フラッパ５４を原稿を直接排紙ローラ対５３に案内する位置に切り換え、これによって、１枚目の原稿は排紙ローラ対５３ａ、５３ｂによって排紙トレイ１１に排紙される（図１２（ｆ）、図１３（ｇ））。
【００４９】
以降、２枚目の原稿１０１についても１枚目の原稿１００と同様な排紙動作が実行され、また３枚目、４枚目の原稿が給紙トレイ１０にある場合は、同様な給紙、搬送、排紙動作が実行される（図１３（ｈ））。
【００５０】
以上詳しく説明したように本発明においては、スイッチバック経路は、第１及び第２の２つの開放部によって容易に開放され、第１開放部と第２開放部は、それぞれ、装置フレームに対して軸回動可能に構成されていることから、スイッチバック経路の原稿搬入口側及び奥側におけるジャムした原稿の取り出しを容易とし、操作性に優れ且つメンテナンス性を大幅に向上させた原稿搬送装置を実現したのである。
【図面の簡単な説明】
【図１】  本発明に係る原稿搬送装置１を斜め上方から見た斜視図である。
【図２】  本発明に係る原稿搬送装置の第１の実施の形態を示す正面断面図である。
【図３】  第１の実施の形態において、第１開放部のみが開放された状態を示す。
【図４】  第１開放部に引き出しに伴ってヒンジ連結された第２開放部も同時に開放された状態を示す。
【図５】  第１の実施の形態の変形例を示す。
【図６】  本発明に係る原稿搬送装置の第２の実施の形態を示す正面断面図である。
【図７】  本原稿搬送装置画像における原稿の片面読取動作を説明するための図（その１）である。
【図８】  本原稿搬送装置画像における原稿の片面読取動作を説明するための図（その２）である。
【図９】  本原稿搬送装置画像における原稿の片面読取動作を説明するための図（その３）である。
【図１０】  本原稿搬送装置画像における原稿の片面読取動作を説明するための図（その４）である。
【図１１】  本原稿搬送装置画像における原稿の両面読取動作を説明するための図（その１）である。
【図１２】  本原稿搬送装置画像における原稿の両面読取動作を説明するための図（その２）である。
【図１３】  本原稿搬送装置画像における原稿の両面読取動作を説明するための図（その３）である。
【符号の説明】
１  原稿搬送装置
２  支持フレーム
３  給紙ユニット
４  排紙ユニット
５  搬送ユニット
６  給紙ユニット取付部
７  排紙ユニット取付部
８  搬送ユニット取付部
１０  給紙トレイ
１１  排紙トレイ
１３  支軸
１４  開放ロック手段
１８  搬送ベルト
２６  マグネットシート
２７  フレーム側鉄片
４１  給紙カバー
４２ａ，４２ｂ  給紙ガイド
４３  繰り出しローラ
５１  排紙カバー
【図１】
0003724791.tif 000002
【図２】
0003724791.tif 000003
【図３】
0003724791.tif 000004
【図４】
0003724791.tif 000005
【図５】
0003724791.tif 000006
【図６】
0003724791.tif 000007
【図７】
0003724791.tif 000008
【図８】
0003724791.tif 000009
【図９】
0003724791.tif 000010
【図１０】
0003724791.tif 000011
【図１１】
0003724791.tif 000012
【図１２】
0003724791.tif 000013
【図１３】
0003724791.tif 000014